(57)【要約】  本不織布は、中心孔(16)の境界を定める基体シート(14)と、ユーザの両耳(22)に取り付けるための第1のサイドアタッチメント要素(18)および第2のサイドアタッチメント要素(20)とを備える。  基体シート(14)は、弾性不織布材料から作られており、基体シート(14)は、水平軸に沿って10%よりも大きく伸長される場合に、NARIKO顔ダミーに対して、水平軸(A-A')に沿って中心孔(16)の中心から40mmよりも大きく75mmよりも小さい距離に位置する第1の点において、第1の圧力を印加するように構成され、基体シート(14)は、水平軸(A-A')に沿って10%よりも大きく伸長される場合に、NARIKO顔ダミーに対して、水平軸(A-A')の下方で、35°よりも大きく、有利には、80°よりも小さい角度で、中心孔(16)の中心から65mmよりも大きく、100mmよりも小さい距離に位置する第2の点において、第2の圧力を印加するように構成される。第2の圧力は、第1の圧力以上である。
2016512456.tif 000002
【特許請求の範囲】
【請求項１】
ユーザの顔(12)の上に装着するための不織布フェイスマスク(10; 150; 160)であって、
・ユーザの口を収容するための中心孔(16)の境界を定める基体シート(14)であって、
前記基体シート(14)は、前記中心孔(16)の中心を通過する水平軸(A-A')を定義する、基体シート(14)と、
・ユーザの両耳(22)に取り付けるための第1のサイドアタッチメント要素(18)および第2のサイドアタッチメント要素(20)と、
を備え、
前記基体シート(14)は、弾性不織布材料から作られており、前記基体シート(14)は、前記水平軸に沿って10%よりも大きく伸長される場合に、NARIKO顔ダミー(88)に対して、前記水平軸(A-A')に沿って前記中心孔(16)の前記中心から40mmよりも大きく、75mmよりも小さい距離に位置する第1の点(90)において、第1の圧力を印加するように構成され、前記基体シート(14)は、前記水平軸(A-A')に沿って10%よりも大きく伸長される場合に、NARIKO顔ダミー(88)に対して、前記水平軸(A-A')の下方で、35°よりも大きく、有利には、80°よりも小さい角度で、前記中心孔(16)の前記中心から65mmよりも大きく、100mmよりも小さい距離に位置する第2の点(92)において、第2の圧力を印加するように構成され、前記第2の圧力は、前記第1の圧力以上である、
不織布フェイスマスク(10; 150; 160)。
【請求項２】
前記第1の圧力が、3mmHgから35mmHgの間である、請求項1に記載の不織布フェイスマスク(10; 150; 160)。
【請求項３】
前記第2の圧力が、3mmHgから35mmHgの間である、請求項1または2に記載の不織布フェイスマスク(10; 150; 160)。
【請求項４】
前記基体シート(14)が、化粧品(24)を受容するための吸収不織布層(30)と、前記吸収不織布層(30)に取り付けられた弾性支持不織布層(32)とを備える、請求項1から3のいずれか一項に記載の不織布フェイスマスク(10;150;160)。
【請求項５】
前記吸収不織布層(30)が、有利には再生繊維を含む、スパンレース不織布層であり、前記弾性支持不織布層(32)が、有利にはポリオレフィン系繊維から成る、メルトブローン不織布層である、請求項4に記載の不織布フェイスマスク(10; 150; 160)。
【請求項６】
前記第1のアタッチメント要素(18)および前記第2のアタッチメント要素(20)が、それぞれユーザの各耳(22)を受け入れるためのサイドアタッチメント孔(60, 62)を備える、請求項1から5のいずれか一項に記載の不織布フェイスマスク(10; 150; 160)。
【請求項７】
少なくとも1つのサイドアタッチメント孔(60, 62)が、前記水平軸(A-A')に対して傾斜した側孔軸(C-C', D-D')に沿って細長い、請求項6に記載の不織布フェイスマスク(10; 150; 160)。
【請求項８】
前記水平軸(A-A')の上方の前記サイドアタッチメント孔の前記側孔軸(C-C', D-D')と前記水平軸(A-A')の外側部分とがなす角度(α)が、30°から135°の間であり、有利には、30°から90°の間である、請求項7に記載の不織布フェイスマスク(10; 150; 160)。
【請求項９】
各サイドアタッチメント孔(60, 62)が、上端(66, 66')と下端(64, 64')とを定義し、
第1のサイドアタッチメント孔(60)の前記上端(66)と第2のサイドアタッチメント孔(62)の前記上端(66')とを隔てる上方距離(W1)が、前記第1のサイドアタッチメント孔(60)の前記下端(64)と前記第2のサイドアタッチメント孔(62)の前記下端(64')とを隔てる下方距離(W2)よりも大きい、
請求項6から8のいずれか一項に記載の不織布フェイスマスク(10; 150; 160)。
【請求項１０】
前記基体シート(14)が、前記不織布の前記繊維が少なくとも部分的に互いに融合されている少なくとも1つの融合部分(162)と、
前記不織布の前記繊維が融合されていない少なくとも1つの部分(164)とを備える、
請求項1から9のいずれか一項に記載の不織布フェイスマスク(10; 150; 160)。
【請求項１１】
少なくとも1つの融合部分(162)が、前記第1のアタッチメント要素(18)にまたがって、および/または、前記第2のアタッチメント要素(20)にまたがって延在する、請求項10に記載の不織布フェイスマスク(10; 150; 160)。
【請求項１２】
前記マスク(10; 150; 160)が、前記基体シート(14)に担持される化粧品(24)を備え、前記化粧品(24)が、有利には、抗老化製品である、請求項1から11のいずれか一項に記載の不織布フェイスマスク(10; 150; 160)。
【請求項１３】
ユーザの顔の美容処理の方法であって、
・請求項1から12のいずれか一項に記載の不織布フェイスマスク(10; 150; 160)を提供するステップと、
前記水平軸(A-A')に沿って、有利には10%よりも大きく、前記不織布フェイスマスク(10; 150; 160)を弾性的に伸長させるステップと、
ユーザの顔(12)の上に前記不織布フェイスマスク(10; 150; 160)を装着するステップであって、前記ユーザの口は、前記中心孔(16)に面して位置する、装着するステップと、
前記第1および第2のサイドアタッチメント要素(18, 20)を、それぞれ前記ユーザの前記耳(22)に取り付けるステップと、
を含み、
前記基体シート(14)は、前記水平軸に沿って10%よりも大きく伸長される場合に、前記ユーザの前記顔に対して、前記水平軸(A-A')に沿って前記中心孔(16)から40mmよりも大きく、75mmよりも小さい距離に位置する第1の点(90)において、第1の圧力を印加し、前記基体シート(14)は、前記水平軸(A-A')に沿って10%よりも大きく伸長される場合に、前記ユーザの前記顔に対して、前記水平軸の下方で、35°よりも大きく、有利には、80°よりも小さい角度で、前記中心孔(16)の前記中心から65mmよりも大きく、100mmよりも小さい距離に位置する第2の点(92)において、第2の圧力を印加し、前記第2の圧力は、前記第1の圧力以上である、方法。
【発明の詳細な説明】
【技術分野】
【０００１】
本発明は、ユーザの顔に装着するための不織布フェイスマスクであって、
・ユーザの口を収容するための中心孔の境界を定める基体シートであって、基体シートは、中心孔の中心を通過する水平軸を定義する、基体シートと、
・ユーザの両耳に取り付けるための第1のサイドアタッチメント要素および第2のサイドアタッチメント要素と、
を備える、不織布フェイスマスクに関する。
【背景技術】
【０００２】
そのようなマスクは、ユーザの顔に美容処理を提供することを考慮して、ユーザの顔に装着される。特に、マスクは、ユーザの皮膚に化粧品を塗布することを目的とする。
【０００３】
マスクには、有利には、抗老化化粧品などの化粧品が含浸される。
【０００４】
化粧品は、例えば、ゲル、クリーム、オイル、化粧水、乳液またはパウダーである。
【０００５】
「化粧品」とは、具体的には、本発明の意味において、化粧品との関連で2009年11月30日付けの欧州議会および理事会のEC規則第1223/2009号において定義されるような製品である。
【０００６】
化粧品を塗布するために不織布マスクを使用することは、よく知られている。マスクには、マスクを含浸させる化粧品により直接包装されるものもある。
【０００７】
あるいは、乾燥マスクが包装される。化粧品は、マスクの包装の開封後に、ユーザによってマスク上に配置される。
【０００８】
別のバリエーションにおいて、化粧品は、マスクを装着する前に、ユーザの顔に直接塗布される。
【０００９】
現在のところ、2つのカテゴリの不織布マスクが、ユーザにとって利用可能である。
【００１０】
古典的な不織布マスクは、顔の上に直接載り、皮膚に対する機械的作用を有しない。こうしたマスクは、通常、伸縮可能ではなく、機械力および/または圧力を生成せずに、ユーザの皮膚に装着されるだけである。女性の主要な関心事は、皮膚の弛みである。
【００１１】
ユーザの顔の上に配置される際に伸長する必要がある、不織布の伸縮可能なマスクも知られている。典型的には、マスクの伸長は、不可逆である。ユーザは、包装を開封し、マスクの両端をつかみ、マスクを顔に載せる際、その両端の間でマスクを伸長させて、マスクの幅を不可逆的に増加させる。
【００１２】
知られているフェイスマスクの例は、特許第3120502号、国際公開第2009/135336号、国際公開第2009/116118号、欧州特許第2103424号、欧州特許第1813167号、特開2004-097585号、特開2010-259621号、特開2011-136019号、特開2009-112803号、米国特許出願公開第2010/324509号、特開2004-149533号、特開2009-297572号、特開2009-147824号、特開2009-113585号、特開2010-25962号または特開2011-172732号において開示される。
【００１３】
これらのマスクのうちのいくつかの例は、伸縮可能である。しかしながら、伸長は不可逆であり、顔の上で伸長を正確に調整することは、非常に困難である。マスクは、特に、延長および圧力などの機械的効果を生成するために、ユーザの皮膚との相互作用をほとんど有しないか、または全く有しない。また、皮膚に放出される処方の量は、非常に少ない。
【先行技術文献】
【特許文献】
【００１４】
【特許文献１】特許第3120502号
【特許文献２】国際公開第2009/135336号
【特許文献３】国際公開第2009/116118号
【特許文献４】欧州特許第2103424号
【特許文献５】欧州特許第1813167号
【特許文献６】特開2004-097585号
【特許文献７】特開2010-259621号
【特許文献８】特開2011-136019号
【特許文献９】特開2009-112803号
【特許文献１０】米国特許出願公開第2010/324509号
【特許文献１１】特開2004-149533号
【特許文献１２】特開2009-297572号
【特許文献１３】特開2009-147824号
【特許文献１４】特開2009-113585号
【特許文献１５】特開2010-25962号
【特許文献１６】特開2011-172732号
【発明の概要】
【発明が解決しようとする課題】
【００１５】
本発明の1つの目的は、ユーザの皮膚に対して強化された美容作用を提供する、ユーザの顔の上に装着するための不織布マスクを提供することである。
【課題を解決するための手段】
【００１６】
この目的のために、本発明は、上述されたようなマスクに関係し、基体シートは、弾性不織布材料から作られており、基体シートは、水平軸に沿って10%よりも大きく伸長される場合に、NARIKO顔ダミーに対して、水平軸に沿って中心孔の中心から40mmよりも大きく75mmよりも小さい距離に位置する第1の点において、第1の圧力を印加するように構成され、基体シートは、水平軸に沿って10%よりも大きく伸長される場合に、NARIKO顔ダミーに対して、水平軸A-A'の下方で、35°よりも大きく、有利には、80°よりも小さい角度で、中心孔の中心から65mmよりも大きく、100mmよりも小さい距離に位置する第2の点において、第2の圧力を印加するように構成され、第2の圧力は、第1の圧力以上である。
【００１７】
本発明に係るマスクは、下記の特徴のうちの1つまたは複数を、単独で、または任意の技術的な取り得る組み合わせにしたがって、備え得る:
・基体シートは、水平軸に沿って細長い;
・第1の圧力は、3mmHgから35mmHgの間である;
・第2の圧力は、3mmHgから35mmHgの間である;
・基体シートは、化粧品を受容するための吸収不織布層と、当該吸収不織布層に取り付けられた弾性支持不織布層とを備える;
・吸収不織布層は、有利には再生繊維を含む、スパンレース不織布層であり、弾性支持不織布層は、有利にはポリオレフィン系繊維から成る、メルトブローン不織布層である;
・第1のアタッチメント要素および第2のアタッチメント要素は、それぞれユーザの各耳を受け入れるためのサイドアタッチメント孔を備える;
・少なくとも1つのサイドアタッチメント孔は、水平軸に対して傾斜した側孔軸に沿って細長い;
・水平軸の上方のサイドアタッチメント孔の側孔軸と水平軸の外側部分とがなす角度は、30°から135°の間であり、有利には、30°から90°の間である;
・各サイドアタッチメント孔は、上端および下端を定義し、第1のサイドアタッチメント孔の上端と第2のサイドアタッチメント孔の上端とを隔てる上方距離は、第1のサイドアタッチメント孔の下端と第2のサイドアタッチメント孔の下端とを隔てる下方距離よりも大きい;
・前記基体シートは、不織布の繊維が少なくとも部分的に互いに融合されている少なくとも1つの融合部分と、不織布の繊維が融合されていない少なくとも1つの部分とを備える;
・少なくとも1つの融合部分は、第1のアタッチメント要素にまたがって、および/または、第2のアタッチメント要素にまたがって延在する;
・マスクは、基体シートに担持される化粧品を備え、化粧品は、有利には、抗老化製品である。
【００１８】
本発明は、下記のステップを含む、ユーザの顔の美容処理の方法にも関係する:
・上述されたような不織布フェイスマスクを提供するステップ;
・水平軸に沿って、有利には10%よりも大きく、不織布フェイスマスクを弾性的に伸長させるステップ;
・ユーザの顔の上に不織布フェイスマスクを装着するステップであって、ユーザの口は、中心孔に面して位置する、装着するステップ;
・第1および第2のサイドアタッチメント要素を、それぞれユーザの耳に取り付けるステップ;
基体シートは、水平軸に沿って10%よりも大きく伸長される場合に、ユーザの顔に対して、水平軸に沿って中心孔の中心から40mmよりも大きく、75mmよりも小さい距離に位置する第1の点において、第1の圧力を印加し、基体シートは、水平軸に沿って10%よりも大きく伸長される場合に、ユーザの顔に対して、水平軸A-A'の下方で、35°よりも大きく、有利には、80°よりも小さい角度で、中心孔の中心から65mmよりも大きく、100mmよりも小さい距離に位置する第2の点において、第2の圧力を印加し、第2の圧力は、第1の圧力以上である。
【００１９】
本発明は、添付の図面を考慮して、あくまでも例として見なされる下記の説明を読むことにより、より良く理解されるであろう。
【図面の簡単な説明】
【００２０】
【図１】本発明に係る第1のマスクの正面図である。
【図２】図1のマスクの基体シートの展開部分図である。
【図３】NARIKO顔ダミーに対して図1のマスクによって加えられる圧力を測定することが可能なデバイスの概略図である。
【図４】NARIKO顔ダミーの上に配置されるべきセンサの位置の正面図である。
【図５】マスクがユーザの顔の上に装着されている、ユーザの顔の正面図である。
【図６】ユーザの顔の側面に装着されたマスクを示す、図5の側面図である。
【図７】本発明に係る、いくつかの他のマスクを示す図である。
【図８】本発明に係る、いくつかの他のマスクを示す図である。
【図９】本発明に係る、いくつかの他のマスクを示す図である。
【図１０】本発明に係る、いくつかの他のマスクを示す図である。
【図１１】本発明に係る、いくつかの他のマスクを示す図である。
【図１２】NARIKO顔ダミーの規定寸法を例示する図である。
【図１３】NARIKO顔ダミーの規定寸法を例示する図である。
【図１４】NARIKO顔ダミーの規定寸法を例示する図である。
【図１５】NARIKO顔ダミーの規定寸法を例示する図である。
【発明を実施するための形態】
【００２１】
本発明に係る第1の不織布フェイスマスク10が、図1に示される。このフェイスマスク10は、図5および図6に概略的に示される、ユーザの顔12の上に装着するためのものである。
【００２２】
フェイスマスク10は、ユーザの口を通すための中心孔16を定義する基体シート14と、ユーザの両耳22にマスクを取り付けるための第1のサイドアタッチメント要素18および第2のサイドアタッチメント要素20とを備える。
【００２３】
有利には、マスク10は、マスク10がユーザ皮膚の上に装着される際にユーザの顔12と接触させられる化粧品24を含む。
【００２４】
化粧品24は、例えば、ゲル、クリーム、オイル、化粧水、乳液またはパウダーである。化粧品24は、任意の活性成分を含み得る。好適には、化粧品は、抗老化用である。
【００２５】
化粧品は、例えば、アデノシン、延伸ポリマー、抗老化植物成分を含む。あるいは、または補完的に、化粧品は、美白剤、緩和剤、抗炎症剤および抗ニキビ剤を含む。
【００２６】
化粧品24に含まれる活性成分の例は、アスコルビン酸、アスコルビン酸グルコシド、ナイアシンアミド、エチルアスコルビン酸、エラグ酸、GK2、サリチル酸、酢酸トコフェロールである。
【００２７】
基体シート14は、不織布材料から作られている。「不織」とは、本発明の意味において、個々の繊維またはフィラメントがシート状の構造内で不規則に配列されている繊維であって、織られたり、編まれたりしていない繊維を含む基材を意味する。不織体の繊維は、一般には、機械的作用の下で(例えば、ニードルパンチ、空気ジェット、水ジェット等によって)、または熱作用の効果の下で、または結合剤を添加することによって、互いに結び付けられる。
【００２８】
そのような不織布材料は、例えば、ISO 9092標準によって、糸またはボンディングフィラメントを組み込む、織り、編み、タフティングまたはステッチングによって得られる紙または製品を除く、摩擦および/または凝集および/または接着によって結合される、一方向またはランダムに方向付けられた網目状の繊維またはシート状の繊維として定義されている。
【００２９】
不織布材料は、使用される繊維の長さの点で、紙とは異なる。紙では、繊維は、より短い。しかしながら、湿式法によって生産され、紙と同様に短い繊維を有するセルロース繊維に基づく不織布材料が存在する。不織布材料と紙との差異は、一般には、不織布材料における繊維間の水素結合の不在である。
【００３０】
不織体は、繊維に基づいて生産される。
【００３１】
有利には、不織布シートに含まれるホットメルト繊維の質量百分率は、0.5%よりも大きく、100%以下であり、有利には、5%から80%の間である。
【００３２】
ホットメルト繊維は、例えば、ポリエチレン(PE)、ポリプロピレン(PP)、ポリエチレンテレフタレート(PET)、または、ポリメチルメタクリレート樹脂(PMMA)、ポリウレタン繊維もしくは下記の熱可塑性繊維などのアクリル繊維などのポリオレフィン系繊維である:ポリ塩化ビニル(PVC)、スチレン重合体(例えば、ポリスチレンPS、発泡性ポリスチレンEPS、アクリロニトリルブタジエンスチレンABSターポリマー、スチレンアクリロニトリル共重合体、スチレンブタジエンPBポリマー)、ポリアミド(PA)、ポリカーボネート(PC)、飽和ポリエステル(例えば、ポリエチレンテレフタレートPETグリコール、ポリブチレンテレフタレートPBTグリコール)、ポリアセタール(例えば、ポリオキシメチレンPOM、トリオキサンエチレンオキシドコポリマー)、ポリビニルアルコール(PVA)もしくはフッ素化ポリマー(例えば、ポリテトラフルオロエチレンPTFE、ポリビニリデンフルオライドPVDF、およびポリクロロトリフルオロエチレンPCTFE)繊維。
【００３３】
不織体を構成するその他の繊維は、例えば、合成石油派生物由来の繊維、天然植物繊維もしくは動物性繊維、および/または、例えば、繊維を形成するための処理方法もしくは再生方法に起因する変性天然繊維である。
【００３４】
不織体は、1つまたは複数の網状の連結繊維から形成され得る。
【００３５】
図2に示される特定の実施形態において、基体シート14を構成する不織布材料は、化粧品24を受容するための吸収不織布層30と、吸収不織布層30に取り付けられた弾性支持不織布層32とを備える。
【００３６】
吸収層30は、例えば、繊維を形成するための処理方法または再生方法に起因する変性天然繊維を含むスパンレース不織布層から作られている。特に、吸収層は、レーヨンを含み得る。
【００３７】
吸収層30は、ポリオレフィン系繊維、特に、ポリエチレンテレフタレートPETグリコール、および/またはポリエチレン繊維などの合成石油派生物由来の繊維も含み得る。有利な実施形態において、合成繊維の質量百分率は、0%から70%の間であり、変性天然繊維の質量百分率は、0%から100%の間である。
【００３８】
吸収層30は、化粧品24を受容し、化粧品24を基体シート14に保持することが可能である。吸収層30は、ユーザの顔12と接触させられることが意図される。
【００３９】
弾性層32は、例えば、メルトブローン不織布である。弾性層32は、有利には、ポリオレフィン系繊維などの合成石油派生物由来の繊維のみから作られる。
【００４０】
弾性層32は、有利には、非吸収性である。
【００４１】
「吸収性」とは、WSP 101-W-08f 3標準によって測定される際に、層30が液体の少なくとも10重量%を吸収することが可能であることを意味する。
【００４２】
化粧品の質量百分率は、20%から3000%の間であり、好適には、マスク10の重量に対して200%から1000%の間である。
【００４３】
「非吸収性」とは、不織布の吸収量が、不織布に元来含まれている残余湿度(残余湿度RH%)を超えて増加しないことを意味する。これは、通常、上述された標準によって測定される際に、層32が液体の最大で10重量%を吸収することが可能であることを意味する。
【００４４】
層30、層32は、互いに積層される。有利には、パターン化ヒートボンディング(patterned heat bonding)が、積層を形成するために使用される。
【００４５】
基材シート14は、中心孔16の中心34を通過し、第1および第2のサイドアタッチメント要素18、20を通過する軸A-A'に沿って延在する細長い形状を有し、有利には、丸みを帯びている。
【００４６】
図1に示されるように、軸A-A'は≪水平≫である。すなわち、軸A-A'は、有利には、ユーザの鼻がマスクの中心孔16にまさに導入される際に水平に位置する。
【００４７】
マスク10の≪幅≫、または、より一般的に≪幅≫という用語は、軸A-A'に平行と見なされる距離、または軸A-A'に沿った距離である。
【００４８】
マスク10の≪高さ≫、または、より一般的に≪高さ≫という用語は、軸A-A'に垂直と見なされる距離である。マスクの「厚さ」は、マスク10の第1の面とマスク10の第2の反対側面との間の距離である。
【００４９】
基体シート14は、図1の左側に位置する第1の端部40から図1の右側に位置する第2の端部42へ延在する。
【００５０】
図1の例において、基体シート14は、全体的に丸みを帯びた形状を有する。基体シートは、軸A-A'の一方の側に概ね位置する上縁44と、軸A-A'の他方の側に概ね位置する下縁46とを定義する。図1において、上縁44および下縁46はそれぞれ、2つの凸側部50、52の間に位置する中央凹部48を備える。
【００５１】
基体シート14を形成する不織布材料は、弾性である。基体シートは、WSP 110.4-X標準試験方法を用いて測定されると、軸A-A'に沿って、または軸A-A'と平行に、少なくとも10%、有利には、10%から150%の間で可逆的に伸長され得る。
【００５２】
したがって、基体シート14は、伸長される際、形状記憶効果を有する。基体シートが伸長された後に元の形状を回復することは、不織布材料が、WSP110.1-X標準試験方法において記載される方法を使用する乾燥段階における3つのサイクル中に50%伸長される場合に、元の大きさの8%未満の残留変形を有するべきであることを意味する。
【００５３】
基体シート14は、図1に示される静止非伸長構成と図5および図6に示される伸長構成との間で、少なくとも軸A-A'に沿って、または軸A-A'と平行に、状況に応じて弾性的に伸長可能である。
【００５４】
図1の例において、第1の端部40と第2の端部42との間で軸A-A'に平行に測定される、基体シート14の最大幅は、軸A-A'に垂直に測定される、基体シート14の最大高さより大きく、具体的には、2倍大きい。
【００５５】
さらに、基材の厚さは、基体シート14の最大幅よりも少なくとも10倍小さい。
【００５６】
静止時の基体シート14の幅は、例えば、150mmから350mmの間である。基体シート14の高さは、例えば、80mmから250mmの間である。基体シート14の厚さは、5mmよりも小さく、有利には、0.5mmから2.5mmの間である。
【００５７】
図1の例において、中心孔16は、基体シート14の幾何学的中心54よりも上方に位置する。
【００５８】
中心孔16は、貫通孔である。中心孔は、基体シート14の厚み全体に及び、基体シート14の対向する面で開いている。
【００５９】
図1の例において、中心孔16は、軸A-A'に沿って引き伸ばされている。軸A-A'に沿った中心孔の最大幅は、マスクが引き伸ばされる際の基体シート14の最大幅の20%よりも小さい。
【００６０】
上述されたように、孔16は、マスク10が顔12の上に配置される際にユーザが呼吸できるようにするために、ユーザの口、具体的には、ユーザの唇を受け入れることが可能である。
【００６１】
中心孔16は、閉輪郭を有する。すなわち、中心孔は、基体シート14の輪郭から離れて、また、各アタッチメント要素18、20からも離れて位置する。
【００６２】
この例において、第1のサイドアタッチメント要素18および第2のサイドアタッチメント要素20は、それぞれ第1のサイドアタッチメント孔60および第2のサイドアタッチメント孔62から作られている。ストリング、プライヤ、包帯、ゴムバンド等などの他の取り付け方法/デバイスが使用され得る。
【００６３】
各アタッチメント孔60、62は、上端66および66'と、下端64および64'とを有し、各アタッチメント孔60、62は、下端64と上端66との間で、軸A-A'に対して傾けられたそれぞれの側孔軸C-C'、D-D'に沿って延在する。
【００６４】
有利には、軸C-C'、D-D'の上部と軸A-A'の外側部分との間で定義される角度αは、0°から90°の間である。
【００６５】
図1の例において、各側孔軸C-C'、D-D'は、下端64、64'から上端66、66'への方向において、中心孔16の中心34からそれている。角度αは、その結果、35°よりも大きく、90°よりも小さい。
【００６６】
また、ユーザの皮膚に対して強い圧効果およびリフトアップ効果を提供するために、第1のアタッチメント孔60の上端66と第2のアタッチメント孔62の上端66'とを隔てる幅W1は、第1のアタッチメント孔60の下端64と第2のアタッチメント孔62の下端64'とを隔てる幅W2よりも大きい。
【００６７】
好適な実施形態において、W1およびW2は、それぞれ図5に図示される45歳の女性のE1平均距離およびE2平均距離よりも小さい。
【００６８】
E1距離は、45〜54歳の日本人女性の各耳22の上端80を隔て、鼻の下を通過し、鼻に触れる平均距離として定義される。2012年において、この距離E1は、298.32mmである。
【００６９】
距離E2は、同じ女性の集団についての、顎84を超えて両耳の下端82を接続する距離として定義される。
【００７０】
2012年において、この距離は、255.86mmである。
【００７１】
E1の値およびE2の値は、日本国内で2011年に203人の女性に対して行われた類型論研究中に測定された平均値である。
【００７２】
好適な実施形態において、百分率で表される伸びM1は、
【００７３】
【数１】
2016512456.tif 000003
【００７４】
として定義され、
【００７５】
【数２】
2016512456.tif 000004
【００７６】
と等しく見なされるM2は、下記の区間内に存在する。
・20%≦M1<40%かつ40%≦M2<60%、または、
・40%≦M1<90%かつ10%≦M2<35%。
【００７７】
上記に示されるように、基体シート14は、図1に示される静止構成と図5および図6に示される伸長構成との間で、軸A-A'に沿って、または軸A-A'と平行に伸長されるように構成される。伸長は、基体シート14の側端部40、42の間で行われる。伸長は、10%から150%の間である。
【００７８】
本発明によれば、基体シート14が軸A-A'に沿って10%よりも大きく、好適には、10%から150%の間で伸長される場合に、基体シート14は、(図3および図12から図15に示される)NARIKO顔ダミー88に対して、中心孔16の中心34から40mmよりも大きく75mmよりも小さい距離D1に位置する第1の点90において、3mm Hgよりも大きい第1の圧力を加えるように構成される。
【００７９】
第1の点90に対して加えられる第1の圧力は、一般には、3mm Hgから35mm Hgの間である。
【００８０】
また、基体シート14が10%よりも大きく水平に伸長される場合に、基体シート14は、NARIKO顔ダミー88に対して、水平軸A-A'の下方に35°よりも大きく、35°から55°の間の角度αで、中心孔16の中心34から65mmよりも大きく100mmよりも小さい距離D2に位置する第2の点92において、第1の点90において加えられる第1の圧力よりも大きい第2の圧力を加えるように構成される。
【００８１】
したがって、第2の圧力は、一般には、3mm Hgから35mm Hgの間であり、リフトアップ効果を提供するために、第2の圧力は、第1の圧力よりも常に高い。
【００８２】
第1の点90の位置および第2の点92の位置は、図4において投影的に概略的に例示される。圧力は、実際には、図3に示される測定デバイス100を用いて実際の顔ダミー88上で測定される。
【００８３】
NARIKO顔ダミー88は、図3に示される。顔ダミー88は、標準化されている。この顔ダミー88は、有利には、日本国、東京の中井紙器工業株式会社によって供給される。
【００８４】
顔ダミーは、滑らかなポリウレタンコーティングの層が塗布された繊維強化プラスチックコアから作られる。
【００８５】
顔ダミー88の寸法は、図12から図15を考慮して得られる下記のtable(表1)において要約される。
【００８６】
【表１】
2016512456.tif 000005
【００８７】
第1の点90および第2の点92において圧力を測定するために、図3に示される測定デバイス100が使用され得る。
【００８８】
デバイス100は、基体シート14の端部40、42をクランプするための一対の顎部102を備える。デバイス100は、基体シート14を水平に伸長させるための張力装置104と、第1の点90および第2の点92における印加圧力を測定するためのセンサシステム106も備える。
【００８９】
図3の例において、張力装置104は、張力バー110を起動し、張力バー110を各顎部102の上端および下端に接続するワイヤ112、114を接続する動力計108を備える。
【００９０】
張力バー110は、NARIKO顔ダミー88の矢状面に対して横方向に延在する。バー110は、動力計108の起動ロッド116によって水平に移動可能である。
【００９１】
センサシステム106は、NARIKO顔ダミー88の表に、上記に定義される距離において配置される圧力センサ115を備える。
【００９２】
非常に特殊な例において、測定装置は、高さ160mm、幅11mm、および重さ34.6gを有する垂直な顎部102を備える。
【００９３】
顎部102は、基体シート14の端部40、42においてクランプされる。接続ワイヤ112、114は、鋼製である。それらの長さは、それぞれ550mmおよび550mmである。張力バー110は、155mmの長さを有する。起動ロッド116は、商標IMADAモデルDPX-10Tとして市販されている動力計108に接続される。
【００９４】
張力バー110は、顔ダミー88が配置される支持物118の上方220mmの高さに配置される。動力計の起動ロッド116は、顔ダミー88の矢状軸において延在する。
【００９５】
センサ115、125は、TT MediTrade Soleddet 15、DK 4180 SoroからのブランドKIKUHIMEとして市販されている。センサは、各センサ115に印加される圧力を判定することが可能な分析器117(サブ包帯および体圧測定デバイス)に接続される
【００９６】
測定は、下記のように実行される。室温は、23℃に調整される。湿度は、50%に調整される。
【００９７】
顎部102は、マスクの端部40、42に配置される。次いで、ワイヤ112、114は、ロッド116に接続され、動力計108は、張力装置104に対して牽引力を提供するために起動される。マスク10は、NARIKO顔ダミー88の前面上に装着される。牽引力は、NARIKO顔ダミー88の顔の上に装着されるマスク10の水平方向の伸びを生成する。
【００９８】
伸びは、目盛りが刻まれたスケールに沿った動力計108の変化として測定される。
【００９９】
特に、0%から150%の間の伸びが、測定を実行するために選択され得る。
【０１００】
圧力は、測定値が安定するまで、一般には、900秒よりも長い時間の経過後まで、第1の点90においてはセンサ115によって、第2の点92においてはセンサ116によって測定される。
【０１０１】
ここで、ユーザの顔12の美容処理のための本発明に係るマスク10の使用が説明されるであろう。
【０１０２】
まず、ユーザは、マスクをつかみ、マスクを顔12の上に配置し、マスク10の両端部40、42をユーザの両手でつまむ。
【０１０３】
次いで、ユーザは、基体シート14を形成する不織布材料の弾性的挙動に反して、軸A-A'に沿って約10%以上、マスク10を対称的に伸長させる。
【０１０４】
動作の第1のモードにおいて、化粧品24は、まず、マスク10を受容する包装内でマスク10を含浸させている。
【０１０５】
ユーザは、化粧品24を有するマスク10の表面を、有利には、図5に示されるように、フェイススライン、ほうれい線、顎および両頬上に装着する。
【０１０６】
次いで、ユーザは、両耳22を側孔60、62に挿入して、マスク10を側方に取り付ける。
【０１０７】
マスク10の装着後、基体シート14は、ユーザの顔12対して、水平軸A-A'に沿って中心孔16の中心から40mmよりも大きく、75mmよりも小さい距離に位置する第1の点90において、第1の圧力を印加する。
【０１０８】
また、基体シート14は、ユーザの顔12対して、水平軸A-A'の下方において35°よりも大きい角度で、中心孔の中心から65mmよりも大きく、100mmよりも小さい距離に位置する第2の点92において、第1の圧力よりも大きい第2の圧力を印加する。
【０１０９】
結果として、フェイスマスク10は、ユーザの皮膚に対して、増強された美容効果を提供する。マスク10の基体シート14を形成する不織布材料の弾性特性のおかげで、マスク10は、その形状記憶特性を失うことなく、ユーザの顔面上でマスク自体を正確に調整する。
【０１１０】
マスク10が伸長されると、マスクは、下記の効果を生じさせる。
【０１１１】
マスク10のユーザの両耳22への装着に起因して、強い圧力が皮膚に印加され、これは、マスク10がその静止構成に戻ることを防止する。
【０１１２】
マスク10は、不織布の付着と皮膚に対して印加されるマスク10の弾性力とに起因する≪リフトアップ効果≫と呼ばれる皮膚の動きも提供する。弾性力は、ユーザの皮膚を動かなくさせる。
【０１１３】
マスク10は、マスク10の変形および圧力に起因して、より多くの液体が脱着される「スポンジ効果」に起因して、化粧品のより大幅な脱着も可能にする。
【０１１４】
幅W2が幅W1よりも小さい場合、マスク10は、ユーザの顔に引き締め効果を提供する強力な「リフトアップ」効果をユーザの皮膚に対して提供する。
【０１１５】
本発明に係る第2のマスク150は、図7に示される。このマスク150は、下縁に沿ってつまみ152を備える点において、第1のマスク10と異なる。
【０１１６】
図8から図11は、基体シート14を形成する不織布の繊維が少なくとも部分的に融合された少なくとも1つの融合部分162と、不織布の繊維が融合されていない少なくとも1つの非融合部分164とをさらに備える、本発明に係るマスク160を開示する。不織布の融合は、不織布の変形を回避し、不織布が伸ばされる割合を低減する。これは、皮膚に対するより大きな圧力も生成する。
【０１１７】
図9の例において、マスク160は、アタッチメント要素18、20を囲む2つの融合部分162と、不織布の繊維が融合されていない中央非融合部分164とを備える。
【０１１８】
軸A-A'に沿って融合部分162の内縁166とアタッチメント要素18、20とを隔てる距離は、5mmから20mmの間であり、具体的には、8mmから12mmの間である。
【０１１９】
図9のマスク160は、ストリップ形状を有する、2つの部分的に融合された部分162を備える。各部分162は、中心孔16に向かう中央非融合部分164によって、および、中心孔16から離れてマスクの端部40、42へ延在する側方非融合部分164によって、側方を囲まれる。
【０１２０】
各融合部分162は、基体シート14の上縁44によって上方の境界を定められ、下縁によって下方の境界を定められる。
【０１２１】
図10のマスク160は、中央非融合部分164と、端部40、42へ延在し、アタッチメント要素18、20を含む融合部分162とを備える。
【０１２２】
マスク160は、各アタッチメント要素18、20の外縁に沿って位置する、2つの側方非融合部分164も備える。
【０１２３】
図11に示されるマスク160は、中央非融合部分164と、マスクの端部40、42へ延在する、2つの側部融合部分162とを有する。
【０１２４】
中央非融合部分164は、アタッチメント要素18、20の上方に位置する、2つの上方側部領域168を有する。
【０１２５】
図8から図11の実施形態において、融合部分162は、可溶性繊維の組成に応じて、100℃から150℃の温度で、0.2秒間から2秒間、不織布を局部的に加熱することによって作られる。
【０１２６】
融合部分162は、マスク10が伸長される際に変形および/または断裂を回避する有益な効果を有する。融合部分162は、不織布基体シート14の伸長可能な面を低減することによって、皮膚に対するより高い圧力も生成する。
【０１２７】
融合部分162は、化粧品組成物を寄せ付けなくなり、したがって、化粧品がユーザの両耳に面して、またはユーザの髪に面して位置することを防止する。
【０１２８】
本発明に係るマスクについて第1の点90および第2の点92において印加される圧力の例は、下記のtables(表2)において与えられる。これらの圧力は、マスク10が、NARIKO顔ダミー88上でW1=E1およびW2=E2などのように伸長された際に測定された。
【０１２９】
【表２】
2016512456.tif 000006
【０１３０】
代替案において、マスク10は、化粧品24なしで包装される。化粧品24は、マスク10を装着する前に、ユーザによってマスク10に塗布され、またはユーザの顔の上に直接配置される。
【符号の説明】
【０１３１】
10  第1の不織布フェイスマスク
12  顔
14  基材シート
16  中心孔
18  第1のサイドアタッチメント要素
20  第2のサイドアタッチメント要素
24  化粧品
30  吸収不織布層
32  弾性支持不織布層
34  中心
40  第1の端部
42  第2の端部
44  上縁
46  下縁
54  幾何学的中心
60  第1のアタッチメント孔
62  第2のアタッチメント孔
64  下端
66  上端
88  顔ダミー
102  顎部
104  張力装置
106  センサシステム
108  動力計
110  張力バー
112  ワイヤ
114  ワイヤ
116  起動ロッド
117  分析器
150  第2のマスク
160  マスク
162  融合部分
164  中央非融合部分
【図１】
2016512456.tif 000007
【図２】
2016512456.tif 000008
【図３】
2016512456.tif 000009
【図４】
2016512456.tif 000010
【図５】
2016512456.tif 000011
【図６】
2016512456.tif 000012
【図７】
2016512456.tif 000013
【図８】
2016512456.tif 000014
【図９】
2016512456.tif 000015
【図１０】
2016512456.tif 000016
【図１１】
2016512456.tif 000017
【図１２】
2016512456.tif 000018
【図１３】
2016512456.tif 000019
【図１４】
2016512456.tif 000020
【図１５】
2016512456.tif 000021
【国際調査報告】
2016512456.tif 000022
2016512456.tif 000023